(57)【要約】      （修正有）【課題】屋内側における窓ガラスの外周に設置されるサッシ部に貼着することで二重構造を形成し、窓ガラスに結露が発生するのを防止するとともに、突部を設けて湾曲を軽減又は防止させることで作業効率を向上させる結露防止パネル部材を提供する。【解決手段】ベース部と、前記ベース部の周縁であって、屋内側の窓ガラスＷの外周に設置されるサッシ部Ｗ１に貼着されるベース貼着部と、所定の間隔を有して複数配列されるとともに、前記窓ガラスＷに当接することのない高さを有して前記ベース部から突出される突部３とを備え、前記突部３により前記ベース部と前記窓ガラスＷとの間隙に空気層を形成することを特徴とする。【選択図】図１
0003178284.tif 000002
【実用新案登録請求の範囲】
【請求項１】
ベース部と、
前記ベース部の周縁であって、屋内側の窓ガラスの外周に設置されるサッシ部に貼着されるベース貼着部と、
所定の間隔を有して複数配列されるとともに、前記窓ガラスに当接することのない高さを有して前記ベース部から突出される突部とを備え、
前記突部により前記ベース部と前記窓ガラスとの間隙に空気層を形成することを特徴とする結露防止パネル部材。
【請求項２】
前記突部は、複数の前記結露防止パネルを連結可能とする嵌合面を備える請求項１に記載の結露防止パネル部材。
【考案の詳細な説明】
【技術分野】
【０００１】
本考案は、屋内側における窓ガラスの外周に設置されるサッシ部に貼り合せて二重構造とし、結露を防止する結露防止パネル部材に関するものである。
【背景技術】
【０００２】
従来より、プラスチック等の合成樹脂板を凹凸状に成形し、フランジ部を窓ガラスに直接貼着させ、凸部によって形成される空間が二重ガラス構造をなし、窓ガラスに発生する結露を防止する結露防止パネル部材が公知である（特許文献１参照）。
【０００３】
また、フィルムの片面に粘着剤が塗布され、フィルムの一端に所定の硬さを有する把持部をサッシに貼着して結露を防止するサッシ用フィルムが公知である（特許文献２参照）。
【先行技術文献】
【特許文献】
【０００４】
【特許文献１】特開２００７−３２１５４８号公報
【特許文献２】特開２００５−４２４１３号公報
【考案の概要】
【考案が解決しようとする課題】
【０００５】
上記特許文献１の結露防止パネル部材においては、フランジ部を窓ガラスに直接貼着させる為、当該貼着箇所に結露が生じる虞がある。一方で、上記課題を解決する為、この結露防止パネル部材をサッシ部に貼着した際には、フランジ部が最も低い部分となり、凸部が窓ガラスに対して突出する状態となるので、窓ガラスに対して平坦に貼着することができず、窓ガラスの開閉時に凸部が衝突する虞がある。
【０００６】
また、特許文献２のサッシ用フィルムにおいては、サッシ部に貼着することから、上記結露防止、並びに窓ガラスの開閉に関する課題を解決するものであるが、フィルムの厚みによっては作業時に湾曲する為、作業効率が低下する虞がある。
【０００７】
そこで、本考案はこのような問題点を解決するものであって、屋内側における窓ガラスの外周に設置されるサッシ部に貼着することで二重構造を形成し、窓ガラスに結露が発生するのを防止するとともに、突部を設けて湾曲を軽減又は防止させることで作業効率を向上させる結露防止パネル部材を提供することを課題とする。
【課題を解決するための手段】
【０００８】
前記課題を解決するために、本考案の請求項１に記載の結露防止パネル部材において、ベース部と、前記ベース部の周縁であって、屋内側の窓ガラスの外周に設置されるサッシ部に貼着されるベース貼着部と、所定の間隔を有して複数配列されるとともに、前記窓ガラスに当接することのない高さを有して前記ベース部から突出される突部とを備え、前記突部により前記ベース部と前記窓ガラスとの間隙に空気層を形成することを特徴とするものである。
【０００９】
また、本考案の請求項２に記載の結露防止パネル部材は、請求項１に記載の結露防止パネル部材において、前記突部は、複数の前記結露防止パネルを連結可能とする嵌合面を備えるものである。
【考案の効果】
【００１０】
本考案の結露防止パネル部材では、屋内側における窓ガラスの外周に設置されるサッシ部に貼着することで二重構造を形成し、窓ガラスに結露が発生するのを防止するとともに、ベース部に突部を設けて湾曲を軽減又は防止させることで作業効率を向上することができる。
【００１１】
更に、突部を介して複数の結露防止パネル部材を上下左右方向に連結することで、窓ガラスの大きさに対応した結露防止パネル部材を容易に形成することができる。
【００１２】
更に、窓ガラスと結露防止パネル部材にて簡易且つ安価に二重構造を形成し、断熱効果を奏することで、冷暖房時における熱効率を向上させることができ、省エネ効果にも繋がる。
【図面の簡単な説明】
【００１３】
【図１】本考案の実施例における結露防止パネル部材をサッシ部に貼着した状態説明図である。
【図２】本考案の実施例における結露防止パネル部材をサッシ部に貼着した図１のＡ−Ａ拡大断面図である。
【図３】本考案の実施例における結露防止パネル部材を縦方向に連結させる際の斜視図である。
【図４】本考案の実施例における結露防止パネル部材を横方向に連結させる際の斜視図である。
【考案を実施するための形態】
【００１４】
以下、本考案の実施の形態における結露防止パネル部材を図面に基づいて説明する。実施例においては、２枚の窓ガラスを左右にスライド可能に配設した、いわゆる引き違い窓に結露防止パネル部材を貼着する場合について説明する。当該結露防止パネル部材において、屋内側における天井側を当該パネル部材の上方とし、床面側を当該パネル部材の下方とする。また、窓ガラスの開閉（スライド）方向を当該パネル部材の左右方向とする。
【実施例】
【００１５】
本考案に係る結露防止パネル部材１は、図１から図４に示すように、屋内側における窓ガラスＷの外周に設置されるサッシ部Ｗ１に貼着して二重構造として、結露を防止するものである。サッシ部Ｗ１は、窓ガラスＷにおける上下の横枠Ｗ２と左右の縦枠Ｗ３とから構成される。図１は、結露防止パネル部材１をサッシ部Ｗ１に貼着した状態説明図である。図２は、図１のＡ−Ａ拡大断面図である。図３は、結露防止パネル部材１を縦方向に連結させる際の斜視図である。図４は、結露防止パネル部材１を横方向に連結させる際の斜視図である。
【００１６】
結露防止パネル部材１は、略四角形状に形成され、例えば硬質ＰＥＴフィルム等の合成樹脂からなり、真空成形等で成形される。本実施例においては、一般的な家庭用の窓ガラスＷの形状に対応するよう、縦７３０ｍｍ×横１０００ｍｍに寸法設定されるがこれに制限されるものではない。また、結露防止パネル部材１の厚みは、引き違い窓において、少なくとも窓ガラスＷのスライド時に当接しない程度の厚みを有していればよい趣旨である。結露防止パネル部材１には、公知の紫外線遮蔽機能等の付加機能を付与することもできる。
【００１７】
より具体的には、結露防止パネル部材１は、平坦状のベース部２から突部３を突出させてなる。ベース部２の周縁は、サッシ部Ｗ１に貼着する際のベース貼着部とされる。当該突部３は、ベース部２が湾曲するのを軽減又は防止する為に設けられるものであり、所定の間隔を有して複数配列される。また、突部３は、結露防止パネル部材１の略中央部に設けられる。このとき、突部３における左右外側方向のベース部２の寸法を上下外側方向のベース部２の寸法より幅広にしておくことが望ましい。
【００１８】
本実施例においては、突部３は、サッシ部Ｗ１の横枠Ｗ２と平行するよう左右方向に形成され、５本の突部３が設けられるが、当該間隔、その本数は制限されるものではない。更に、突部３は、左右方向に限られず、サッシ部Ｗ１の縦枠Ｗ３と平行するよう上下方向に形成してもよいし、斜め方向等、適宜変更することができるのは勿論である。また、突部３同士が平行に配列されなくてもよいものであり、突部３の長手方向に対して所定の間隔を設けて分断してもよいものである。更に、分断された突部３においては、当該外形を適宜変更し、デザイン性を向上させるものであってもよい。すなわち、突部３は、直線に限られず、曲線であってもよいし、サッシ部Ｗ１に貼着する際、ベース部２が湾曲するのを軽減又は防止し得る形状であればよい趣旨である。
【００１９】
また、突部３の断面形状は、略三角形状、略四角形状、略波形状、その他の形状とすることができ、特に制限されるものではない。後述するように、複数の結露防止パネル部材１を連結する際には、突部３の断面形状を少なくとも略四角形状とし、ベース部２から突出し相互に嵌合し得る嵌合面を設けた形状とする。
【００２０】
更に、突部３の高さにおいては、サッシ部Ｗ１に貼着した際、貼着されるサッシ部Ｗ１の窓ガラスＷと当接しない高さであればよい。より詳細には、窓ガラスＷとサッシ部Ｗ１との段差ｔより小さく設定される。
【００２１】
このようにして構成される結露防止パネル部材１は、次のようにして取り付けられる。以下においては、突部３をサッシ部Ｗ１の横枠Ｗ２と平行するよう左右方向に形成した結露防止パネル部材１の形態について説明する。まず、サッシ部Ｗ１の横枠Ｗ２及び縦枠Ｗ３に両面テープ等を貼り付け、接着部４を形成する。
【００２２】
そして、窓ガラスＷに対して貼着する結露防止パネル部材１の外形が合わなければ、適宜切断して窓ガラスＷの大きさに対応させる。このとき、突部３を介して上下左右が均等となるよう切断することが望ましい。
【００２３】
例えば、窓ガラスＷの左右（横）方向の寸法に対応しない場合にあっては、突部３における左右外側方向のベース部２のみを切断すればよい。このとき、当該箇所が幅広に設定されているので、突部３を切断しなければならないといった煩雑な作業を行う必要がなくなる。すなわち、平坦状のベース部２のみを切断すればよいので、容易、且つ短時間で体裁よく切断することができる。
【００２４】
一方、窓ガラスＷの上下（縦）方向の寸法に対応しない場合にあっては、隣接する突部３間のベース部２を切断すればよい。同様にして、平坦状のベース部２のみを切断すればよいので、容易、且つ短時間で体裁よく切断することができる。
【００２５】
そして、窓ガラスＷと突部３とを対向させた状態とし、接着部４にベース部２の周縁であるベース貼着部を貼着させる。窓ガラスＷが上下方向に大きい場合には、複数の結露防止パネル部材１を連結することで、上下方向を調節することができる。係る際には、一方の突部３に対して他方の突部３を嵌合させればよい。当該嵌合させる突部３は、１箇所に限らず、複数箇所を嵌合させてもよい。これにより、連結強度を向上させることができる。また、嵌合させた突部３近傍のベース部２に両面テープ等を貼り付け、連結強度を補強してもよい。
【００２６】
更に、窓ガラスＷが左右方向に大きい場合であっても、複数の結露防止パネル部材１を連結することで、左右方向を調節することができる。係る際には、突部３における左右外側方向のベース部２の一方において、端面に突部３が露呈するよう切断し、図４に示すようにして、他方の突部３に対して横方向にスライドするよう嵌合させる。当該嵌合させる突部３の箇所及び連結強度の補強においては、上記と同様である。
【００２７】
また、上下方向のみ、左右方向のみに連結するものではなく、結露防止パネル部材１を上下左右に複数連結させることができるのは勿論である。
【００２８】
上記のようにして、切断と連結を適宜組み合わせることで、結露防止パネル部材１はサッシ部Ｗ１に貼着され、窓ガラスＷとの間を密閉した状態とする。そして、図２に示すように、突部３は窓ガラスＷと接触することなく、突部３との間に空気層５を形成する。これにより、空気層５の断熱効果で結露が発生するのを防止する。
【００２９】
以上、説明した本考案に係る結露防止パネル部材１によれば、切断と連結を適宜組み合わせることで、様々な形状の窓ガラスＷに対して容易、且つ短時間で貼着することができ、作業効率を向上させることができる。また、結露防止パネル部材１を窓ガラスＷに直接貼着しない為、窓ガラスＷに結露が生じる虞もない。更に、窓ガラスＷと結露防止パネル部材１にて簡易且つ安価に二重構造を形成し、断熱効果を奏することで、冷暖房時における熱効率を向上させることができ、省エネ効果にも繋がる。
【００３０】
当該考案は、上述の実施形態の構成に限定されるものではなく、結露防止パネル部材１の形状、寸法、材質等を適宜変更して、引き違い窓以外にも実施することが可能である。また、一部構成を省略することができるし、一部抽出した構成とすることができるのは勿論である。
【符号の説明】
【００３１】
１    結露防止パネル部材
２    ベース部
３    突部
４    接着部
５    空気層
Ｗ    窓ガラス
Ｗ１  サッシ部
Ｗ２  横枠
Ｗ３  縦枠 
【図１】
0003178284.tif 000003
【図２】
0003178284.tif 000004
【図３】
0003178284.tif 000005
【図４】
0003178284.tif 000006